(57)【要約】【課題】会員カードが使用されなくても遊技客ごと及び遊技台ごとの遊技履歴を収集し、遊技媒体に係る不正を遊技客ごとに検知可能な遊技場セキュリティシステムを提供する。【解決手段】遊技台５ごとに人物の顔を撮影する撮影手段３１と、顔画像を含む人物情報を記憶する人物情報記憶手段２１と、遊技履歴情報を記憶する遊技履歴記憶手段１１と、顔画像に基づいて人物情報を生成し、人物情報記憶手段に既に記憶されていた人物情報中に同一人物があるか否かを判断する人物判断手段２２と、遊技台への人物の着席時に遊技履歴情報を作成して遊技履歴記憶手段に記憶させる遊技開始情報記録手段１２と、その人物の離席時に遊技履歴情報を作成して遊技履歴記憶手段に記憶させる遊技終了情報記録手段１３と、不正等を検出したときに人物の顔画像を含む遊技履歴情報を表示装置に表示する報知手段１５と、を備えて構成される。【選択図】図２
2011005054.tif 000002
【特許請求の範囲】
【請求項１】
遊技媒体を用いて遊技する複数の遊技台ごとに人物の顔を撮影する撮影手段と、
人物の顔画像を含む人物情報を蓄積して記憶する人物情報記憶手段と、
遊技台情報と、人物情報と、保有遊技媒体数情報とを相互に関連づけて遊技履歴情報として蓄積して記憶する遊技履歴記憶手段と、
前記撮影手段により撮影された画像に基づいて顔画像を含む人物情報を生成し、その人物情報と前記人物情報記憶手段に既に記憶されていた人物情報とを比較して同一人物があるか否かを判断する人物判断手段と、
前記撮影手段により撮影された画像から前記遊技台への人物の着席が検出されたとき、前記人物判断手段により、前記人物情報記憶手段に既に記憶されていた人物情報中に同一人物が存在しなかった場合には、保有遊技媒体数情報として０と、着席した人物の人物情報と、着席した遊技台の遊技台情報とを相互に関連づけて遊技履歴記憶手段に記憶させ、
かつ、前記人物判断手段により、前記人物情報記憶手段に既に記憶されていた人物情報中に同一人物が存在した場合には、その同一人物の人物情報と関連づけて前記遊技履歴記憶手段に既に記憶されていた直近の保有遊技媒体数情報の値を取得し、その取得した値に等しい保有遊技媒体数情報と、着席した人物の人物情報と、着席した遊技台の遊技台情報とを相互に関連づけて遊技履歴記憶手段に記憶させる遊技開始情報記録手段と、
前記撮影手段により撮影された画像から前記遊技台に着席した前記人物の離席が検出されたとき、その人物が離席時に保有する離席時保有遊技媒体数を計算して、保有遊技媒体数情報としてこの離席時保有遊技媒体数と、その人物の人物情報と、離席した遊技台の遊技台情報とを相互に関連づけて前記遊技履歴記憶手段に記憶させる遊技終了情報記録手段と、
前記人物判断手段による判断の結果又は前記遊技履歴情報が所定の不正条件に一致するかを判断し、その不正条件に一致した場合には、人物の顔画像を含む当該遊技履歴情報を表示装置に表示し及び外部にアラーム信号を送信し、又は前記表示及び前記送信のうちのいずれかを行う報知手段と、
を備えることを特徴とする遊技場セキュリティシステム。
【請求項２】
前記撮影手段は更に遊技媒体を計数する計数機ごとに計数する人物の顔を撮影し、
前記遊技履歴情報は計数機情報を更に含み、
計数機情報と、人物情報と、保有遊技媒体数情報とを相互に関連づけて前記遊技履歴記憶手段に記憶させる計数情報記録手段を更に備え、
前記計数情報記録手段は、前記撮影手段により前記計数機に対面する人物の顔が撮影されたとき、前記人物判断手段により、前記人物情報記憶手段に既に記憶されていた人物情報中に同一人物が存在しなかった場合には、前記対面する人物を非遊技者と判断し、
かつ、前記人物判断手段により、前記人物情報記憶手段に既に記憶されていた人物情報中に同一人物が存在した場合には、その同一人物の人物情報と関連づけて前記遊技履歴記憶手段に既に記憶されていた直近の保有遊技媒体数情報値を取得し、その取得した値から計数機により計数された遊技媒体数を減算して計数後の保有遊技媒体数を求め、この保有遊技媒体数情報と、前記対面する人物の人物情報と、計数機情報とを相互に関連づけて遊技履歴記憶手段に記憶させ、
前記報知手段は、前記計数情報記録手段により前記対面する人物が非遊技者と判断されたこと、及び前記計数情報記録手段により求められた前記計数後の保有遊技媒体数が所定範囲内にないこと、を前記不正条件に含む請求項１記載の遊技場セキュリティシステム。
【請求項３】
前記撮影手段は更に景品カウンターに対面する客の顔を撮影し、
前記報知手段は、更に、前記撮影手段により前記景品カウンターに対面する人物の顔が撮影されたとき、前記人物判断手段により、前記人物情報記憶手段に既に記憶されていた人物情報中に同一人物が存在した場合には、その同一人物の人物情報と関連づけて前記遊技履歴記憶手段に既に記憶されていた顔画像を含む遊技履歴情報を前記表示装置に表示し、
かつ、前記人物判断手段により、前記人物情報記憶手段に既に記憶されていた人物情報中に同一人物が存在しなかった場合には、同一人物が存在しなかったことを前記不正条件とする請求項１又は２記載の遊技場セキュリティシステム。
【請求項４】
前記遊技開始情報記録手段は、前記人物判断手段により、前記人物情報記憶手段に既に記憶されていた人物情報中に同一人物が存在した場合には、着席した人物と同一人物の人物情報と関連づけて前記遊技履歴記憶手段に既に記憶されていた直近の遊技台情報を更に取得し、
前記報知手段は、前記遊技開始情報記録手段により取得された直近の前記保有遊技媒体数情報の値が所定範囲内になく、かつ前記遊技開始情報記録手段により取得された直近の前記遊技台情報の遊技台と前記着席した遊技台とが異なることを前記不正条件に含む請求項１乃至３のいずれかに記載の遊技場セキュリティシステム。
【請求項５】
前記遊技台及び計数機は、使用する遊技媒体の区別に対応した複数の群に区分けされており、
前記遊技開始情報記録手段は、前記人物判断手段により、前記人物情報記憶手段に既に記憶されていた人物情報中に同一人物が存在した場合には、着席した人物と同一人物の人物情報と関連づけて前記遊技履歴記憶手段に既に記憶されていた直近の遊技台情報又は計数機情報を更に取得し、
前記報知手段は、前記遊技開始情報記録手段により取得された直近の前記保有遊技媒体数情報の値が所定範囲内になく、かつ前記遊技開始情報記録手段により取得された直近の遊技台又は計数機と前記着席した遊技台とが異なる群に属していることを前記不正条件に含む請求項１乃至３のいずれかに記載の遊技場セキュリティシステム。
【請求項６】
前記遊技台及び計数機は、使用する遊技媒体の区別に対応した複数の群に区分けされており、
前記計数情報記録手段は、前記人物判断手段により、前記人物情報記憶手段に既に記憶されていた人物情報中に同一人物が存在した場合には、前記計数機に対面する人物と同一人物の人物情報と関連づけて前記遊技履歴記憶手段に既に記憶されていた直近の遊技台情報又は計数機情報を更に取得して、その遊技台又は計数機と前記人物が対面する計数機とが異なる群に属しているときは対面する人物を不正計数者と判断し、
前記報知手段は、前記計数情報記録手段により前記対面する人物が不正計数者と判断されたことを前記不正条件に含む請求項２乃至５のいずれかに記載の遊技場セキュリティシステム。
【請求項７】
前記報知手段は、更に、前記遊技台の持つ遊技媒体数及び稼動情報、並びにその遊技台に対応した玉貸機又は再プレイ機からの遊技媒体の貸出情報を含む機器情報を周期的に取得する請求項１乃至６のいずれかに記載の遊技場セキュリティシステム。
【請求項８】
前記報知手段は、前記遊技開始情報記録手段により前記遊技履歴記憶手段に記憶された着席時の保有媒体数情報を基に前記機器情報中のその着席した遊技台の持つ遊技媒体数の変動を集計して着席した人物が遊技中に保有する遊技中保有媒体数を計算し、前記着席時の保有媒体数情報の値又は前記遊技中保有媒体数が所定値よりも小さい場合には、その遊技台から遊技媒体が払い出されず及び前記玉貸機もしくは前記再プレイ機から遊技媒体が貸し出されず、かつその遊技台の稼動が開始されたことを検出したことを前記不正条件に含む請求項７記載の遊技場セキュリティシステム。
【請求項９】
前記報知手段は、前記遊技開始情報記録手段により前記遊技履歴記憶手段に記憶された着席した遊技台について前記機器情報中の稼動情報を監視し、所定時間を超えてその遊技台が稼動していないことを検出したことを前記不正条件に含む請求項７又は８記載の遊技場セキュリティシステム。
【請求項１０】
前記報知手段は、前記遊技開始情報記録手段により前記遊技履歴記憶手段に記憶された着席した遊技台及びその近傍に配設された近接遊技台について前記機器情報を監視し、前記着席した遊技台で払い出された遊技媒体数が所定値を超えたときは、前記近接遊技台に人物が着席しており、かつ、所定時間を超えて前記近接遊技台が稼動していないことを検出したことを前記不正条件に含む請求項７乃至９のいずれかに記載の遊技場セキュリティシステム。
【請求項１１】
前記人物情報は人物の年齢を含み、
前記人物判断手段は、前記撮影手段により撮影された画像に基づいて人物の年齢を含む人物情報を生成してその年齢が１８歳未満であるかを更に判断し、
前記報知手段は、前記人物判断手段により年齢が１８歳未満であると判断されたことを前記不正条件に含む請求項１乃至１０のいずれかに記載の遊技場セキュリティシステム。
【請求項１２】
前記人物情報記憶手段は、更に、予め定めた不審人物を登録した不審人物情報を前記人物情報と相互に関連づけて記憶し、
前記人物判断手段は、前記撮影手段により撮影された画像に基づいて生成した人物情報と前記人物記憶手段に既に記憶されていた人物情報とを比較して同一人物があった場合には、その同一人物が前記人物記憶手段に既に記憶されていた前記不審人物情報に登録されている人物か否かを更に判断し、
前記報知手段は、前記人物判断手段により、前記人物記憶手段に既に記憶されていた前記不審人物情報に登録されていたと判断されたことを前記不正条件に含む請求項１乃至１１のいずれかに記載の遊技場セキュリティシステム。
【請求項１３】
不審人物を前記不審人物情報に登録する不審人物登録手段を更に備え、
前記不審人物登録手段は、前記報知手段により前記不正条件に一致したと判断された場合には、その人物の顔画像を含む人物情報を記憶するとともに前記不正条件に一致するごとに当該人物の不正回数を数え、同一人物について累計した前記不正回数が所定回数以上となったときはその人物を不審人物情報に登録し、この不審人物情報と、その人物の人物情報とを相互に関連づけて前記人物情報記憶手段に記憶させる請求項１２記載の遊技場セキュリティシステム。
【請求項１４】
前記人物情報記憶手段は更に会員情報を記憶し、
前記遊技台ごとに対応して個人ごとの識別情報を取得する識別情報取得装置を備え、その識別情報取得装置によって前記識別情報を取得して認証したときはその人物の会員番号及び前記識別情報取得装置に対応する遊技台番号を出力する会員認証手段と、
会員番号を含む会員情報を更に関連づけて前記人物情報記憶手段に記憶させる会員番号記録手段と、
を備え、
前記会員番号記録手段は、前記会員認証手段により出力された会員番号及び遊技台番号を取得して、前記撮影手段により撮影されたその遊技台番号に対応する遊技台に着席した人物の画像に基づき前記人物判断手段により生成された人物情報と、会員情報として会員番号とを相互に関連づけて前記人物情報記憶手段に記憶させる請求項１乃至１３のいずれかに記載の遊技場セキュリティシステム。
【発明の詳細な説明】
【技術分野】
【０００１】
本発明は、顔認証を用いた遊技場セキュリティシステムに関する。
【背景技術】
【０００２】
従来、パチンコ機やスロット機等の遊技台が設置されている遊技場において、各遊技台の遊技データ（玉数等）、各遊技台に対応して備えられて玉貸等を行う台間機の売上データ、計数機の計数データ等は、ホールコンピュータによって収集され管理されている。また、遊技客毎の遊技データ等を収集するため、会員システムが導入されている場合も多い。この会員システムにより、会員に与えられる会員カードを使用して遊技がされれば、個人を特定できる情報が遊技客から提供されることとなり、遊技客毎の遊技データ等を収集することができる。しかし、遊技客により会員カードが使用されない場合が多く、遊技データを遊技客に関連付けて収集することが困難であるという実状があった。その対策として、例えば、会員カードを利用した構成において、遊技台毎に設けられた撮影手段によって遊技客を撮影し、その撮影画像に基づいて遊技客を特定する手段を備え、これによって遊技データを遊技客に関連付ける遊技管理システムが開示されている（特許文献１を参照）。
また、会員カードの携帯を強要しなくても、遊技客の顔を認証することにより不正等を検知するシステムがある。例えば、遊技台ごとに遊技者の顔を撮影するとともに計数機で計数者の顔を撮影し、顔認識技術を用いることにより、係員が監視カメラを常時監視せずとも計数機での不正や誤認を防止することができる計数不正検知システムが提案されている（特許文献２を参照）。
【先行技術文献】
【特許文献】
【０００３】
【特許文献１】特開２００１−１６２０１１号公報
【特許文献２】特開２００５−４０２０８号公報
【発明の概要】
【発明が解決しようとする課題】
【０００４】
前記のとおり、遊技場においては会員カードの使用率が低い状況で、遊技客とその遊技客の保有する遊技媒体（持玉）に関連して以下のような様々の問題があった。
まず、他店で使用される遊技媒体が持ち込まれる場合があり、これを防止するためには遊技者が持つ遊技媒体を管理するシステム（持玉管理システム）も使用されている。しかし、この持玉管理システムを用いても、遊技後の遊技媒体数の計数時まで発見することができないという問題があった。しかも、遊技台の遊技結果と照合して計数者の持玉が適正であるかを判断するためには係員間の連絡や確認を要するため、ロスも多く、ミスも発生し易かった。また、持ち込み遊技媒体を防止するため、遊技客に対して遊技台の移動を禁止するなどの対策がされている場合もある。しかし、このような対策は遊技客にとって不便であった。
また、遊技場内には、遊技台で使用する遊技媒体の単価等が異なる複数のコーナーが設けられている場合が多い。このような場合に、１つの遊技台から持玉を持って異なるコーナーの遊技台に移動したり、異なるコーナーの計数機で計数したりすることは不正となる。このような不正を防止するためには、遊技場の係員が遊技場内を常に監視していなければならないという問題があった。
また、遊技客が遊技台に着席していても遊技をしていない、すなわち遊技台が着席かつ非稼動の状態がある。この状態が長時間にわたると遊技台の稼動率が低下して遊技場にとっては好ましくないため、係員が遊技場内を常に注視していなければならないという問題があった。
さらに、一つの遊技台の近傍の遊技台に仲間が着席することにより、係員に不正な遊技が発見されないようにされる場合がある。このような不正を発見するためにも、遊技場の係員は目を凝らしていなければならなかった。
その他、不審人物や１８歳未満の人物による遊技は排除しなければならないが、大半において会員カードの使用がされない状況では、係員の目視による発見に頼らざるを得ないという問題がある。
上記のような遊技場の諸問題に対して、顔認証技術を利用した従来の遊技管理システムや不正検知システムによって解決することはできなかった。
【０００５】
本発明は、前記現状に鑑みてなされたものであり、遊技台や計数機ごとに遊技客の顔認証を行うことにより、遊技客に会員カードの使用を強いることなく遊技客及び遊技台のきめ細かな遊技履歴を収集することが可能で、使用される遊技媒体及び遊技に関する不正を遊技客ごとに検知することができ、遊技者に快適な遊技環境であるとともに遊技場の被害を防止することができる遊技場セキュリティシステムを提供することを目的とする。
【課題を解決するための手段】
【０００６】
本発明は、以下の通りである。
１．遊技媒体を用いて遊技する複数の遊技台ごとに人物の顔を撮影する撮影手段と、人物の顔画像を含む人物情報を蓄積して記憶する人物情報記憶手段と、遊技台情報と、人物情報と、保有遊技媒体数情報とを相互に関連づけて遊技履歴情報として蓄積して記憶する遊技履歴記憶手段と、前記撮影手段により撮影された画像に基づいて顔画像を含む人物情報を生成し、その人物情報と前記人物情報記憶手段に既に記憶されていた人物情報とを比較して同一人物があるか否かを判断する人物判断手段と、前記撮影手段により撮影された画像から前記遊技台への人物の着席が検出されたとき、前記人物判断手段により、前記人物情報記憶手段に既に記憶されていた人物情報中に同一人物が存在しなかった場合には、保有遊技媒体数情報として０と、着席した人物の人物情報と、着席した遊技台の遊技台情報とを相互に関連づけて遊技履歴記憶手段に記憶させ、かつ、前記人物判断手段により、前記人物情報記憶手段に既に記憶されていた人物情報中に同一人物が存在した場合には、その同一人物の人物情報と関連づけて前記遊技履歴記憶手段に既に記憶されていた直近の保有遊技媒体数情報の値を取得し、その取得した値に等しい保有遊技媒体数情報と、着席した人物の人物情報と、着席した遊技台の遊技台情報とを相互に関連づけて遊技履歴記憶手段に記憶させる遊技開始情報記録手段と、前記撮影手段により撮影された画像から前記遊技台に着席した前記人物の離席が検出されたとき、その人物が離席時に保有する離席時保有遊技媒体数を計算して、保有遊技媒体数情報としてこの離席時保有遊技媒体数と、その人物の人物情報と、離席した遊技台の遊技台情報とを相互に関連づけて前記遊技履歴記憶手段に記憶させる遊技終了情報記録手段と、前記人物判断手段による判断の結果又は前記遊技履歴情報が所定の不正条件に一致するかを判断し、その不正条件に一致した場合には、人物の顔画像を含む当該遊技履歴情報を表示装置に表示し及び外部にアラーム信号を送信し、又は前記表示及び前記送信のうちのいずれかを行う報知手段と、を備えることを特徴とする遊技場セキュリティシステム。
２．前記撮影手段は更に遊技媒体を計数する計数機ごとに計数する人物の顔を撮影し、前記遊技履歴情報は計数機情報を更に含み、計数機情報と、人物情報と、保有遊技媒体数情報とを相互に関連づけて前記遊技履歴記憶手段に記憶させる計数情報記録手段を更に備え、前記計数情報記録手段は、前記撮影手段により前記計数機に対面する人物の顔が撮影されたとき、前記人物判断手段により、前記人物情報記憶手段に既に記憶されていた人物情報中に同一人物が存在しなかった場合には、前記対面する人物を非遊技者と判断し、かつ、前記人物判断手段により、前記人物情報記憶手段に既に記憶されていた人物情報中に同一人物が存在した場合には、その同一人物の人物情報と関連づけて前記遊技履歴記憶手段に既に記憶されていた直近の保有遊技媒体数情報値を取得し、その取得した値から計数機により計数された遊技媒体数を減算して計数後の保有遊技媒体数を求め、この保有遊技媒体数情報と、前記対面する人物の人物情報と、計数機情報とを相互に関連づけて遊技履歴記憶手段に記憶させ、前記報知手段は、前記計数情報記録手段により前記対面する人物が非遊技者と判断されたこと、及び前記計数情報記録手段により求められた前記計数後の保有遊技媒体数が所定範囲内にないこと、を前記不正条件に含む前記１．記載の遊技場セキュリティシステム。
３．前記撮影手段は更に景品カウンターに対面する客の顔を撮影し、前記報知手段は、更に、前記撮影手段により前記景品カウンターに対面する人物の顔が撮影されたとき、前記人物判断手段により、前記人物情報記憶手段に既に記憶されていた人物情報中に同一人物が存在した場合には、その同一人物の人物情報と関連づけて前記遊技履歴記憶手段に既に記憶されていた顔画像を含む遊技履歴情報を前記表示装置に表示し、かつ、前記人物判断手段により、前記人物情報記憶手段に既に記憶されていた人物情報中に同一人物が存在しなかった場合には、同一人物が存在しなかったことを前記不正条件とする前記１．又は２．記載の遊技場セキュリティシステム。
４．前記遊技開始情報記録手段は、前記人物判断手段により、前記人物情報記憶手段に既に記憶されていた人物情報中に同一人物が存在した場合には、着席した人物と同一人物の人物情報と関連づけて前記遊技履歴記憶手段に既に記憶されていた直近の遊技台情報更に取得し、前記報知手段は、前記遊技開始情報記録手段により取得された直近の前記保有遊技媒体数情報の値が所定範囲内になく、かつ前記遊技開始情報記録手段により取得された直近の前記遊技台情報の遊技台と前記着席した遊技台とが異なることを前記不正条件に含む前記１．乃至３．のいずれかに記載の遊技場セキュリティシステム。
５．前記遊技台及び計数機は、使用する遊技媒体の区別に対応した複数の群に区分けされており、前記遊技開始情報記録手段は、前記人物判断手段により、前記人物情報記憶手段に既に記憶されていた人物情報中に同一人物が存在した場合には、着席した人物と同一人物の人物情報と関連づけて前記遊技履歴記憶手段に既に記憶されていた直近の遊技台情報又は計数機情報を更に取得し、前記報知手段は、前記遊技開始情報記録手段により取得された直近の前記保有遊技媒体数情報の値が所定範囲内になく、かつ前記遊技開始情報記録手段により取得された直近の遊技台又は計数機と前記着席した遊技台とが異なる群に属していることを前記不正条件に含む前記１．乃至３．のいずれかに記載の遊技場セキュリティシステム。
６．前記遊技台及び計数機は、使用する遊技媒体の区別に対応した複数の群に区分けされており、前記計数情報記録手段は、前記人物判断手段により、前記人物情報記憶手段に既に記憶されていた人物情報中に同一人物が存在した場合には、前記計数機に対面する人物と同一人物の人物情報と関連づけて前記遊技履歴記憶手段に既に記憶されていた直近の遊技台情報又は計数機情報を更に取得して、その遊技台又は計数機と前記人物が対面する計数機とが異なる群に属しているときは対面する人物を不正計数者と判断し、前記報知手段は、前記計数情報記録手段により前記対面する人物が不正計数者と判断されたことを前記不正条件に含む前記２．乃至５．のいずれかに記載の遊技場セキュリティシステム。
７．前記報知手段は、更に、前記遊技台の持つ遊技媒体数及び稼動情報、並びにその遊技台に対応した玉貸機又は再プレイ機からの遊技媒体の貸出情報を含む機器情報を周期的に取得する前記１．乃至６．のいずれかに記載の遊技場セキュリティシステム。
８．前記報知手段は、前記遊技開始情報記録手段により前記遊技履歴記憶手段に記憶された着席時の保有媒体数情報を基に前記機器情報中のその着席した遊技台の持つ遊技媒体数の変動を集計して着席した人物が遊技中に保有する遊技中保有媒体数を計算し、前記着席時の保有媒体数情報の値又は前記遊技中保有媒体数が所定値よりも小さい場合には、その遊技台から遊技媒体が払い出されず及び前記玉貸機もしくは前記再プレイ機から遊技媒体が貸し出されず、かつその遊技台の稼動が開始されたことを検出したことを前記不正条件に含む前記７．記載の遊技場セキュリティシステム。
９．前記報知手段は、前記遊技開始情報記録手段により前記遊技履歴記憶手段に記憶された着席した遊技台について前記機器情報中の稼動情報を監視し、所定時間を超えてその遊技台が稼動していないことを検出したことを前記不正条件に含む前記７．又は８．記載の遊技場セキュリティシステム。
１０．前記報知手段は、前記遊技開始情報記録手段により前記遊技履歴記憶手段に記憶された着席した遊技台及びその近傍に配設された近接遊技台について前記機器情報を監視し、前記着席した遊技台で払い出された遊技媒体数が所定値を超えたときは、前記近接遊技台に人物が着席しており、かつ、所定時間を超えて前記近接遊技台が稼動していないことを検出したことを前記不正条件に含む前記７．乃至９．のいずれかに記載の遊技場セキュリティシステム。
１１．前記人物情報は人物の年齢を含み、前記人物判断手段は、前記撮影手段により撮影された画像に基づいて人物の年齢を含む人物情報を生成してその年齢が１８歳未満であるかを更に判断し、前記報知手段は、前記人物判断手段により年齢が１８歳未満であると判断されたことを前記不正条件に含む前記１．乃至１０．のいずれかに記載の遊技場セキュリティシステム。
１２．前記人物情報記憶手段は、更に、予め定めた不審人物を登録した不審人物情報を前記人物情報と相互に関連づけて記憶し、前記人物判断手段は、前記撮影手段により撮影された画像に基づいて生成した人物情報と前記人物記憶手段に既に記憶されていた人物情報とを比較して同一人物があった場合には、その同一人物が前記人物記憶手段に既に記憶されていた前記不審人物情報に登録されている人物か否かを更に判断し、前記報知手段は、前記人物判断手段により、前記人物記憶手段に既に記憶されていた前記不審人物情報に登録されていたと判断されたことを前記不正条件に含む前記１．乃至１１．のいずれかに記載の遊技場セキュリティシステム。
１３．不審人物を前記不審人物情報に登録する不審人物登録手段を更に備え、前記不審人物登録手段は、前記報知手段により前記不正条件に一致したと判断された場合には、その人物の顔画像を含む人物情報を記憶するとともに前記不正条件に一致するごとに当該人物の不正回数を数え、同一人物について累計した前記不正回数が所定回数以上となったときはその人物を不審人物情報に登録し、この不審人物情報と、その人物の人物情報とを相互に関連づけて前記人物情報記憶手段に記憶させる前記１２．記載の遊技場セキュリティシステム。
１４．前記人物情報記憶手段は更に会員情報を記憶し、前記遊技台ごとに対応して個人ごとの識別情報を取得する識別情報取得装置を備え、その識別情報取得装置によって前記識別情報を取得して認証したときはその人物の会員番号及び前記識別情報取得装置に対応する遊技台番号を出力する会員認証手段と、会員番号を含む会員情報を更に関連づけて前記人物情報記憶手段に記憶させる会員番号記録手段と、を備え、前記会員番号記録手段は、前記会員認証手段により出力された会員番号及び遊技台番号を取得して、前記撮影手段により撮影されたその遊技台番号に対応する遊技台に着席した人物の画像に基づき前記人物判断手段により生成された人物情報と、会員情報として会員番号とを相互に関連づけて前記人物情報記憶手段に記憶させる前記１．乃至１３．のいずれかに記載の遊技場セキュリティシステム。
【発明の効果】
【０００７】
本発明の遊技場セキュリティシステムによれば、撮影手段、人物情報記憶手段、遊技履歴記憶手段及び人物判断手段を備えるため、遊技客によって会員カード等が使用されなくても、遊技客全員に対して遊技履歴の作成が可能になり、日ごとにきめ細かく、遊技台ごとの客の入れ替わりや遊技客ごとの遊技台の移動についてデータを収集することができる。また、データサンプルを増加させることができるので、遊技履歴情報の信頼度を向上させることができる。
また、遊技開始情報記録手段及び遊技終了情報記録手段を備えるため、遊技開始時及び遊技終了時に遊技履歴情報を作成することができ、遊技客が新規の人物であったり遊技客が遊技台を移動した場合であっても、その遊技客が保有する遊技媒体数を正確に把握することが可能となる。
さらに、所定の不正条件に一致した場合には報知する報知手段を備えるため、係員が遊技場内を常時目視して監視する必要がなくなり、不正や点検を要する事態が発生したときには、顔画像と遊技台番号等を表示することにより、それを発生させた人物と遊技履歴を視覚的に確認することができる。
以上によって、遊技客に好ましい遊技環境を提供することができるとともに、遊技場の人件費を削減し人為的なミスや誤認を防止することが可能になる。さらに、顔画像を保存及び表示することにより、社内不正や遊技客と係員等との癒着の防止にもつながる
【０００８】
計数情報記録手段を備える場合は、計数機で計数しようとする人物が遊技者ではないことや、計数された遊技媒体数が直前の保有遊技媒体数よりも多過ぎること等が検出され、前記報知手段によってその人物の顔画像を含む遊技履歴情報の表示装置への表示等がされるため、係員はその人物と遊技履歴を表示装置上で確認することができ、計数機での不正を防止することができる。
【０００９】
さらに、前記撮影手段は景品カウンターに対面する客の顔を撮影し、前記報知手段により景品カウンターに対面する人物と同一人物の顔画像を含む遊技履歴情報が表示装置に表示される場合には、景品カウンターの係員は計数機で発券されるチケットを持ってきた人物の顔と表示された顔画像とを照合するとともに、チケットに印刷された計数値と表示された遊技媒体数とを照合することができ、さらに遊技履歴上で遊技媒体の流れに問題がないかを目視確認することができる。これにより、遊技及び計数の不正を防止することが可能になる。
【００１０】
前記遊技開始情報記録手段は、着席した人物と同一人物の直近の遊技台情報を更に取得し、前記報知手段は、その人物の直近の前記保有遊技媒体数情報の値が所定範囲内になく、かつ直近の遊技台と着席した遊技台とが異なることを前記不正条件に含む場合は、遊技者が一つの遊技台で遊技し又はその後計数機で計数してから、許容範囲でない数の遊技媒体（持玉）を持って新たな遊技台に着席したことが検知されるため、係員は適正な移動であるか否かをその表示内容により確認することができる。
また、前記遊技台及び前記計数機は、使用する遊技媒体の区別に対応した複数の群に区分けされており、前記遊技開始情報記録手段は、着席した人物と同一人物の直近の遊技台情報又は計数機情報を更に取得し、前記報知手段は、その人物の直近の前記保有遊技媒体数情報の値が所定範囲内になく、かつ直近の遊技台又は計数機と着席した遊技台とが異なる群に属していたことを前記不正条件に含む場合は、遊技者が一つの遊技コーナーにある遊技台で遊技し又は計数機で計数してから、許容範囲でない数の遊技媒体（持玉）を持って遊技媒体の価値（単価）等が異なる遊技コーナーの遊技台に着席したことが検出されるため、係員は事務所において遊技者の不正な移動が生じたことを知ることが可能になる。
さらに、前記遊技台及び前記計数機は、使用する遊技媒体の区別に対応した複数の群に区分けされており、前記計数情報記録手段は、前記計数機に対面する人物と同一人物の直近の遊技台情報又は計数機情報を取得して、その遊技台又は計数機と人物が対面する計数機とが異なる群に属しているときは対面する人物を不正計数者と判断し、前記報知手段は、不正計数者であることを前記不正条件に含む場合は、遊技者が一つの遊技コーナーにある遊技台で遊技した後、遊技媒体の価値（単価）等が異なる遊技コーナーの計数機に対面したことが検出されるため、係員は事務所において遊技者が不正な計数をしようとしていることを知ることが可能になる。
【００１１】
前記報知手段が機器情報を周期的に取得する場合は、遊技台ごとに稼動状態を継続的に監視することができるため、不正又は不審な遊技と判断されるときは遊技台に着席した人物と関連づけてアラームを発することが可能になる。
【００１２】
前記報知手段は、着席時の保有媒体数情報を基に前記機器情報中のその着席した遊技台の持つ遊技媒体数の変動を集計して着席した人物が保有する遊技中保有媒体数を計算し、前記着席時の保有媒体数情報の値又は前記遊技中保有媒体数が所定値よりも小さい場合には、その遊技台から遊技媒体が払い出されず及び前記玉貸機もしくは前記再プレイ機から遊技媒体が貸し出されず、かつその遊技台の稼動が開始されたことを検出したことを前記不正条件に含む場合は、遊技客が保有する遊技媒体数が所定値よりも少ない状態から遊技が開始されたことを検出してアラームを発することができるため、係員は事務所において、遊技台に着席した遊技客によって店外等から遊技媒体が持ち込まれた可能性があることを即時に知ることが可能になる。また、遊技媒体の持ち込み防止のために遊技客に遊技台間の移動を禁止する必要もなくなる。
【００１３】
前記報知手段は遊技者が着席した遊技台について前記機器情報中の稼動情報を監視し、所定時間を超えてその遊技台が稼動していないことを検出したことを前記報知条件に含む場合は、遊技客が着席していても遊技がされていない遊技台を自動的に検出してアラームを発することができるため、係員は事務所においてその遊技台と着席している人物の顔を知ることができ、一定時間を超えて着席し且つ遊技していない客を排除して遊技台の稼動率を上げることが可能になる。
【００１４】
前記報知手段は、遊技者が着席した遊技台及びその近傍に配設された近接遊技台について前記機器情報を監視し、前記着席した遊技台で払い出された遊技媒体数が所定値を超えたときは、前記近接遊技台に人物が着席しており、かつ、所定時間を超えて前記近接遊技台が稼動していないことを検出したことを前記不正条件に含む場合は、遊技媒体が多数払い出されている遊技台の周辺の遊技台が着席され且つ非稼動である状態を検出することができるため、係員は事務所においてそれらの遊技台と着席している人物の顔を知ることができ、不正な遊技がされている可能性のある遊技台とそれに関係する人物を確認することが可能になる。
【００１５】
前記人物判断手段は、前記撮影手段により撮影された画像に基づいて人物の年齢を含む人物情報を生成してその年齢が１８歳未満であるかを更に判断し、前記報知手段は前記人物判断手段により年齢が１８歳未満であると判断されたことを前記不正条件に含む場合は、係員は事務所において１８歳未満である可能性がある人物の顔と着席した遊技台を知ることができるため、その不正な遊技を防止することができる。
また、前記人物情報記憶手段は、予め定めた不審人物を登録した不審人物情報を前記人物情報と相互に関連づけて記憶し、前記人物判断手段は、前記撮影手段により撮影された人物が前記不審人物情報に登録されている人物か否かを更に判断し、前記報知手段は、その人物が前記不審人物情報に登録されていたと判断されたことを前記不正条件に含む場合は、係員は事務所においてその人物の顔を視認することができ、予め登録しておいた不審人物が遊技、計数等をするのを防止することができる。
さらに、不審人物を前記不審人物情報に登録する不審人物登録手段を備え、不審人物登録手段は、前記報知手段により前記不正条件に一致したと判断された場合には、その人物の顔画像を含む人物情報を記憶するとともに当該人物の不正検出回数を数え、同一人物について不正検出回数が所定回数以上となったときはその人物を不審人物情報に登録し、この不審人物情報と人物情報とを相互に関連づけて前記人物情報記憶手段に記憶させる場合は、遊技や計数の不正を一定回数生じた人物が不審人物として自動的に登録されるため、その人物が次に撮影されたときにはアラームが発せられることとなり、不審人物による遊技等を防止することが可能になる。
【００１６】
会員認証手段及び会員番号記録手段を備える場合は、前記のいずれかに記載の遊技場セキュリティシステムにおいて人物情報と会員情報とを結び付けることができるため、会員カードの利用率や会員と結び付けた遊技履歴を把握することが可能になる。
【図面の簡単な説明】
【００１７】
以下の図面に付した同様の参照符号はいくつかの図を通して同様の部品、同様の機能等を示す。
【図１】本発明の遊技場セキュリティシステムを使用した遊技場システムの構成を示すブロック図である。
【図２】本発明の遊技場セキュリティシステムの構成を示す図である。
【図３】遊技履歴情報に含まれるデータを取り出し、遊技台番号をキーにして配列した例を表す図である。
【図４】遊技客のコーナー移動の態様と本遊技場セキュリティシステムによる報知例を説明するための模式図である。
【図５】遊技台（パチンコ台）にカメラを設ける例（１）を表す模式図である。
【図６】遊技台（パチンコ台）にカメラを設ける例（２）を表す模式図である。
【図７】遊技台（パチンコ台）にカメラを設ける例（３）を表す模式図である。
【図８】遊技台（スロット台）にカメラを設ける例（１）を表す模式図である。
【図９】遊技台（スロット台）にカメラを設ける例（２）を表す模式図である。
【図１０】遊技台（スロット台）にカメラを設ける例（３）を表す模式図である。
【図１１】計数機にカメラを設ける例を表す模式図である。
【図１２】景品カウンターにカメラ及び表示装置を設ける例を表す模式図である。
【図１３】本発明の遊技場セキュリティシステムの動作の例を説明するためのフローチャートである。
【図１４】人物判断処理例を表すフローチャートである。
【図１５】遊技台への遊技客の着席時にされる遊技開始情報記録処理例を表すフローチャートである。
【図１６】遊技台からの遊技客の離席時にされる遊技終了情報記録処理例を表すフローチャートである。
【図１７】計数機での計数時にされる計数情報記録処理例を表すフローチャートである。
【図１８】報知処理例を表すフローチャートである。
【図１９】計数者について不正条件を判断する報知処理例を表すフローチャートである。
【図２０】景品カウンターの対面者について遊技履歴等を表示する報知処理例を表すフローチャートである。
【図２１】遊技客が遊技台を移動したときにアラームを発する処理例を表すフローチャートである。
【図２２】遊技客が異なる群に属する遊技台間を移動したときにアラームを発する処理例を表すフローチャートである。
【図２３】遊技者による遊技媒体の持ち込みを検出したときにアラームを発する処理例を表すフローチャートである。
【図２４】遊技客が着席した遊技台が長時間にわたり非稼動である状態を検出したときにアラームを発する処理例を表すフローチャートである。
【図２５】遊技媒体が多数払い出されている遊技台に近接する遊技台が着席され且つ非稼動である状態を検出したときにアラームを発する処理例を表すフローチャートである。
【図２６】会員情報と人物情報とを関連づけるための本遊技場セキュリティシステムの構成部分を示す図である。
【発明を実施するための形態】
【００１８】
１．遊技場セキュリティシステムの構成
本発明の遊技場セキュリティシステムを適用したパチンコホール等遊技場のシステム構成の例を図１に示す。図１に示されるホールコンピュータ（ＨＣ）８０は、遊技場の事務所９１等に備えられ、遊技場の島９３に置かれた複数の遊技台５、島端等に設置される計数機６、その他図示しない遊技場内の各種機器（台間玉貸機、台間情報端末機など）とデータの送受信可能に接続されている。本図においては、ホールコンピュータ８０は島コントローラ８２及び入出力装置８４を介して遊技台５、計数機６、台間玉貸機、台間再プレイ機、台間情報端末機等と接続されており、これら接続された機器の情報を収集する。
遊技台５は、パチンコ機、パチスロ機等の遊技機器を含む。遊技台で使用する遊技媒体は、パチンコ玉やメダル等を含む。
計数機６は、島端等に配置され遊技媒体数を計数する装置であり、計数した遊技媒体数等を印刷したチケットを計数者に発行する印刷装置等を備える。
景品カウンター９２には、客ごとに対応するようにＰＯＳ端末等の景品カウンター用機器（カウンター機器）７が備えられる。
さらに、会員の登録・認証等を行い、会員情報を管理する会員システム８８が備えられる場合もある。以上のホールコンピュータ８０を中心としたシステムの構成や接続は特に限定されない。
【００１９】
本発明の遊技場セキュリティシステムを構成する情報処理手段は、例えば、図１に示されるデータ統合用サーバ１０を中心として、顔認証用サーバ２０、顔認証用ユニット３０、複数のカメラ３、複数の表示装置４等を用いて構成することができる。本遊技場セキュリティシステムは、前記ホールコンピュータ８０や前記会員システム８８と連携することができる。それらと本遊技場セキュリティシステムとの接続態様やデータ送受信方法は特に限定されない。
【００２０】
図２は、本発明の遊技場セキュリティシステムの構成を示す図である。本遊技場セキュリティシステム１は、図２に示されるように、前記遊技台５ごとに具備されたカメラ３を含む撮影手段３１、人物情報記憶手段２１、人物判断手段２２、遊技履歴記憶手段１１、遊技開始情報記録手段１２、遊技終了情報記録手段１３及び報知手段１５を備える。本遊技場セキュリティシステム１は、さらに計数情報記録手段１６、不審人物登録手段１６を備えることができる。また、図示しない会員認証手段１８及び会員番号記録手段１９を備えることができる。
以下では、前記のうちの人物情報記憶手段２１、人物判断手段２２をまとめて顔認証手段（２００）と言う。また、遊技履歴記憶手段１１、遊技開始情報記録手段１２、遊技終了情報記録手段１３、報知手段１５、計数情報記録手段１４、不審人物登録手段１６をまとめて遊技履歴管理手段（１００）と言う。
【００２１】
前記各手段は、ＣＰＵ、メモリ、入出力及び通信インタフェース、ハードディスク等の記憶装置等を備えるコンピュータにより構成することができる。前記記憶装置は、別個に構成されたものであってもよい。また、コンピュータには、マイクロコントローラやデジタル信号処理プロセッサ（ＤＳＰ）等を備えて構成される制御処理装置を含んでもよい。前記各手段における主たる制御処理や各手段間のデータ送受等の制御処理は、ＣＰＵによって実行される。
本遊技場セキュリティシステム１は、１又は２以上の前記コンピュータによって構成することができる。コンピュータの数や構成は特に限定されず、例えば、図１に示した構成においては、顔認証手段２００は主として顔認証用サーバ２０及び顔認証用ユニット３０によって構成され、遊技履歴管理手段１００は主としてデータ統合用サーバ１０によって構成される。ここで、顔認証用ユニット３０は、複数のカメラ３を接続し、撮影された画像の並行処理等を行う場合の制御処理装置として例示したものにすぎない。また、前記撮影手段３１、顔認証用サーバ２０及びデータ統合用サーバ１０を構成する機器、コンピュータ、制御処理装置等の相互の接続方法は特に限定されず、適宜公知のネットワークが用いられてもよい。
【００２２】
また、本遊技場セキュリティシステム１と、前記ホールコンピュータ８０、前記会員システム８８等との間の接続及び通信方法も特に限定されず、公知のネットワークが用いられてもよい。遊技場セキュリティシステム１は、遊技台５、計数機６その他遊技場内の各種機器の機器情報（８００）を取得可能に構成される。機器情報の取得は、ホールコンピュータ８０によって収集された機器情報を取得することを含む。
前記機器情報８００は、遊技台５が持つ遊技媒体数及び遊技台５の稼動情報、計数機６による計数情報を含む。また、台間玉貸機、台間再プレイ機の玉貸し情報等、台間機５３の情報を含むことができる。台間玉貸機の玉貸し情報は、売上情報であってもよい。前記会員システム８８が存在する場合には、会員の会員番号、対応する遊技台番号、遊技のチェックイン・アウト情報、会員貯玉払出情報を含むことができる。
【００２３】
撮影手段３１は、人物を撮影するカメラ３（デジタルカメラ、デジタルビデオカメラ等）を含む。カメラ３は遊技台５ごとに備えられ、遊技台５に着席した人物（遊技者）の顔を撮影することができる。また、カメラ３を計数機６ごとに備え、計数機６に対面する人物（計数者）の顔を撮影することができる。さらに、カメラ３を景品カウンター９２に設置されたカウンター機器７ごとの近傍に備え、景品カウンター９２で係員と対面する人物の顔を撮影することができる。撮影手段３１により撮影された画像は、人物判断手段２２に送られる。
【００２４】
人物情報記憶手段２１は、ハードディスク等、データを記憶可能な記憶装置を備え、人物の顔画像を含む人物情報（２１０）を蓄積して記憶するように構成される。
前記顔画像は、撮影手段３１によって撮影された画像データ、及び撮影された画像から人物の顔部分を切り出した顔画像データのいずれか又は両方とすることができる。画像データ及び顔画像データは、コンピュータにより加工処理された画像のデータであってもよい。また、前記顔画像として、撮影手段３１によって撮影されて人物情報記憶手段２１にまだ記憶されていない顔画像、及び過去に撮影され人物情報記憶手段２１に記憶されていた顔画像が目的に応じて使用される。
前記人物情報（２１０）は、人物ごとの前記顔画像、人物を特定するための人物番号（顔ＩＤ）を含む。また、その人物の性別、年齢の情報を含むことができる。その他、顔画像から抽出した顔の特徴量のデータを含むことができる。
また、人物情報記憶手段２１は、不審人物として登録された人物の顔画像を含む不審人物情報（２１１）を、人物情報（２１０）と相互に関連づけて蓄積して記憶するように構成することができる。この不審人物情報は、人物情報（２１０）に含んで構成されてもよい。
さらに、人物情報記憶手段２１は、会員番号を含む会員情報を、人物情報（２１０）と相互に関連づけて蓄積して記憶するように構成することができる。この会員情報は、人物情報（２１０）に含んで構成されてもよい。
【００２５】
遊技履歴記憶手段１１は、ハードディスク等、データを記憶可能な記憶装置を備え、遊技台情報と人物情報と保有遊技媒体数情報とを相互に関連づけて遊技履歴情報（１１０）として蓄積して記憶するように構成される。本手段が備える記憶装置は、前記人物情報記憶手段２１が備える記憶装置と同じ記憶装置で構成されてもよい。
前記遊技台情報は、遊技台５を特定する遊技台番号を含む。また、その遊技台５の持つ遊技媒体数情報を含むことができる。
前記保有遊技媒体数情報は、人物ごとにその人物が保有する遊技媒体（持玉）数を含む。
【００２６】
前記人物情報（２１０）、不審人物情報（２１１）、遊技履歴情報（１１０）は、それぞれの情報が記憶された年月日及び時刻情報を含む。「直近の」情報とは、過去の最も近い時刻に記憶された情報をいう。例えば、ある人物の保有遊技媒体数は、一つの遊技台からの離席時（遊技終了時）や、計数機での計数時等に遊技履歴情報として記憶される。したがって、ある人物が一つの遊技台を離席した後、計数機で計数してから再び遊技台へ着席したとすると、その着席時の直近の保有遊技媒体数は、計数機で計数した時に計算され記憶された保有遊技媒体数情報の値となる。
また、人物情報（２１０）及び遊技履歴情報（１１０）は、遊技場の１営業日ごとに初期化することができる。すなわち、日ごとの開店時に前記各情報を初期化することとすれば、日ごとに、且つ来店客ごとに遊技履歴情報が作成されるため、その来店客の保有遊技媒体数の情報が他の日に持ち越されないようにすることができ、正確な保有遊技媒体数の管理や日ごとの不正の検知を、軽量なシステムによって実現することができる。
【００２７】
人物判断手段２２は、撮影手段３１により撮影された画像に基づいて顔認識を含む処理を実行するコンピュータによって構成される。例えば、人物判断手段２２の処理を主として顔認証用ユニット３０及び顔認証用サーバコンピュータ２０によって構成し、制御処理の一部をデータ統合用サーバ１０によって構成することができる。人物判断手段２２は、他の各手段との間でそれぞれの処理に必要なデータ及び制御信号を送受可能に構成される。
また、人物判断手段２２は、撮影手段３１により撮影された画像から、遊技台５への人物の着席及び遊技台５からの離席の検出、計数機６に対面する人物の検出、景品カウンターにおいて対面する人物の検出を行うように構成することができる。
【００２８】
遊技開始情報記録手段１２及び遊技終了情報記録手段１３は、他の各手段との間でそれぞれの処理に必要なデータ及び制御信号を送受可能であり、人物情報記憶手段２１からの人物情報の取得及び遊技履歴記憶手段１１に対する遊技履歴情報の書込み及び読出しが可能に構成される。また、遊技台５が持っている遊技媒体数情報を含む機器情報を取得可能に構成される。
【００２９】
計数情報記録手段１４は、他の各手段との間でそれぞれの処理に必要なデータ及び制御信号を送受可能であり、人物情報記憶手段２１からの人物情報の取得及び遊技履歴記憶手段１１に対する遊技履歴情報の書込み及び読出しが可能に構成される。また、計数機６において計数した遊技媒体数情報を含む機器情報を取得可能に構成される。
【００３０】
報知手段１５は、他の各手段との間でそれぞれの処理に必要なデータ及び制御信号を送受可能であり、人物情報記憶手段２１に対する人物情報の書込み及び読出し、及び遊技履歴記憶手段１１に対する遊技履歴情報の書込み及び読出しが可能に構成される。また、遊技台その他の機器情報を取得可能に構成される。
また、報知手段１５は人物の顔画像を含む遊技履歴情報を表示する表示装置４を備える。表示装置４は事務所９１、景品カウンター９２等に配設され、その数や接続方法は特に限定されない。複数の表示装置４には、それぞれ別個の内容を表示することができる。
表示装置４は、文字や画像を表示する装置であり、液晶ディスプレイやＥＬディスプレイ、ＣＲＴディスプレイ等を用いて構成することができる。また、係員が操作するスイッチ、キーボード等の入力装置を含むことができる。表示装置４としてパーソナルコンピュータ等が使用されてもよい。
また、報知手段１５は、外部装置（例えば、ホールコンピュータ８０）にアラーム信号を送信することが可能に構成される。
【００３１】
不審人物登録手段１６は、他の各手段との間でそれぞれの処理に必要なデータ及び制御信号を送受可能であり、人物情報記憶手段２１に対する人物情報・不審人物情報の書込み及び読出し、及び遊技履歴記憶手段１１に対する遊技履歴情報の書込み及び読出しが可能に構成される。
【００３２】
会員認証手段１８は、遊技台５ごとに対応して識別情報取得装置を備え、会員番号及び識別情報取得装置に対応する遊技台番号を出力するように構成される。会員認証手段１８は、前記会員システム８８が存在する場合には、会員システム８８及び／又はホールコンピュータ８０により構成されることを含む。
会員番号記録手段１９は、会員認証手段１８から出力された会員番号及び遊技台番号を入力することができ、他の各手段との間でそれぞれの処理に必要なデータ及び制御信号を送受可能であり、人物情報記憶手段２１及び遊技履歴記憶手段１１に対するアクセスが可能に構成される。
【００３３】
図５〜図７は、パチンコ台５１に対応してカメラ３を設置する例を示す。カメラ３は、例えば、台間機５３の横に設けたカメラユニット５３１に取付けられてもよいし（図５）、台ランプ５４部に配設されてもよい（図６）。また、台間情報端末５３２部にカメラ３が配設されてもよい（図７）。
図８〜図１０は、スロット台５２に対応してカメラ３を設置する例を示す。カメラ３は、例えば、台間のカメラユニット５３３に取付けられてもよいし（図８）、台ランプ５４１部に配設されてもよい（図９）。また、台間情報端末５３４部にカメラ３が配設されてもよい（図１０）。
図１１は、計数機６として、玉計数機又はメダル計数機６１、持玉照合機６２、チケット発行端末６３等が備えられる例を示す。カメラ３は、例えば、カメラユニット６４として計数機６に取付けることができる。
図１２は、景品カウンター９２に備えられたＰＯＳ端末等カウンター機器（７）の近傍に、カメラ３を組み込んだカメラユニット７２を配設した例を表す。カメラ３により、係員Ｓ１に対面する客Ｐ１の顔を撮影することができる。係員Ｓ１、Ｓ２がそれぞれ視認できるように表示装置４ａ、４ｂが設けられ、対面する客ごとに、客の顔及びその客が持参したチケットと、表示された客の顔画像を含む遊技履歴とを照合することができる。
【００３４】
２．遊技場セキュリティシステムの動作及び処理
本遊技場セキュリティシステム１の動作及び処理の例を図１３に示す。本図は、具体的な各処理の関係の概略を説明するものであって、制御の流れはこれに限定されない。
着席検出Ｓ１１、離席検出Ｓ１２及び計数者検出１３は、前記撮影手段３１及び人物判断手段２２によって実行される。遊技開始情報記録処理Ｓ２０は、前記遊技開始情報記録手段１２によって実行される。遊技終了情報記録処理Ｓ３０は、前記遊技終了情報記録手段１３によって実行される。計数情報記録処理Ｓ４０は、前記計数情報記録手段１４によって実行される。報知処理Ｓ５０は、前記報知手段１５によって実行される。
【００３５】
前記撮影手段３１により人物の顔が撮影されると、人物判断手段２２は撮影された画像から顔画像を生成する。そして、人物判断手段２２は、その顔画像に基づいて人物情報を生成し、人物情報記憶手段２１に既に記憶されていた人物情報を検索して、撮影された人物の人物情報と比較して同一人物があるか否かを判断する。
同一人物であるか否かの判断手法は、公知の顔認識技術を用いて構成することができる。例えば、顔画像から顔の特徴点（眉、目、鼻、口の位置等）を抽出して特徴量を算出し、その特徴量の類似度によって認識する特徴認識処理装置や、顔画像を比較して類似度によって認識する画像認識処理装置等を用いて、同一人物か否かを判断するようにすることができる。また、顔の特徴から、人物の性別、年齢等を判断するようにすることができる。
【００３６】
図１４は、この人物判断手段２２によって実行される人物判断処理の例（Ｓ１０）を示す図である。撮影手段３１により人物の顔が撮影されると、撮影された画像から顔が切り出される（Ｓ１０２）。また、この過程で、人物の遊技台５への着席及び遊技台５からの離席、人物の計数機６への対面及び人物の景品カウンター機器７への対面を検出することができる（Ｓ１３０）。例えば、撮影された人物の顔が認識されたときに着席を検出し、その着席した人物の顔が認識されなくなったときに離席と判断することができる。
次に、ステップ１０２で切り出された顔画像から顔の特徴が抽出され、既に人物情報記憶手段２１に記憶されている人物の顔の特徴と比較される（Ｓ１０４）。そして、既に人物情報記憶手段２１に記憶されている人物の顔の特徴との類似度により、同一人物があるか否かが判断される（Ｓ１０６）。人物情報記憶手段２１に記憶されている人物情報には、人物ごとに人物番号が付けられている。このため、ステップＳ１０６により同一人物がないと判断された場合には、撮影された人物に新たな人物番号を付し（Ｓ１０８）、同一人物があると判断された場合には、撮影された人物の人物番号をその同一人物の人物番号とする。そして、撮影がされた機器（遊技機、計数機等）を特定する情報を付して、撮影された人物の人物番号及び顔画像を含む人物情報を人物情報記憶手段２１に記憶させる（Ｓ１１０）。
【００３７】
（遊技開始情報記録処理）
図１５に、前記遊技開始情報記録処理の例（Ｓ２０）を示す。前記人物判断処理Ｓ１０により、遊技台５への人物の着席が検出されたとき人物情報記憶手段２１に既に記憶されていた人物情報中に同一人物が存在するかが判断される（Ｓ２０２、Ｓ２０４）。そして、同一人物が存在しなかった場合は、新規の遊技客であるため、保有遊技媒体数（持玉数）Ｍを０とする（Ｓ２０６）。
一方、ステップＳ２０４により、人物情報記憶手段２１に既に記憶されていた人物情報中に同一人物が存在した場合には、人物判断処理により人物情報記憶手段２１に記憶された人物番号を取得し、その人物番号に関連づけて遊技履歴記憶手段１１に既に記憶されていた直近の保有遊技媒体数情報の値を、保有遊技媒体数Ｍとする（Ｓ２０８）。前記直近の保有遊技媒体数情報の値は、その人物がこの着席前の最後に遊技台を離席したときの保有遊技媒体数、又は離席した後に計数機で計数した場合にはその計数後の保有遊技媒体数となる。すなわち、この場合は既に遊技した遊技客であるため、その人物の保有遊技媒体数が継続されてこの着席時の保有遊技媒体数Ｍとされる。
そして、ステップＳ２０６又はＳ２０８により決定された保有遊技媒体数Ｍを保有遊技媒体数情報として、その保有遊技媒体数情報と、人物判断処理Ｓ１０により人物情報記憶手段２１に記憶された着席した人物の人物情報と、その人物の撮影がされたカメラ３に対応した遊技台番号を含む遊技台情報と、を相互に関連づけて遊技履歴記憶手段１１に記憶させる（Ｓ２１０）。遊技台情報には、この着席時に当該遊技台が持つ遊技媒体数の情報を含むことができる。
【００３８】
（遊技終了情報記録処理）
図１６に、前記遊技終了情報記録処理の例（Ｓ３０）を示す。前記人物判断処理Ｓ１０により遊技台５から人物の離席が検出されたとき、その遊技台番号を含む遊技台情報と関連づけて前記遊技開始情報記録処理Ｓ２０により遊技履歴記憶手段１１に記憶された直近の保有遊技媒体数情報（すなわち、その遊技台に着席したときの保有遊技媒体数情報）の値を取得して、これをＭとする（Ｓ３０２）。また、その遊技台に着席したときにその遊技台が持っていた遊技媒体数ｍ０、この離席時にその遊技台が持つ遊技媒体数ｍ１を取得し、遊技の開始から終了までにその遊技台から払い出された遊技媒体数ｍ（＝ｍ１−ｍ０）を求める（Ｓ３０４）。この遊技媒体数ｍの計算には、さらに、その遊技台に対応した玉貸機、再プレイ機から貸し出された遊技媒体数を含めることができる。また、遊技の結果により遊技台が持つ遊技媒体数は増減するため、当然、遊技媒体数ｍは負の値となりえる。そして、この離席時に離席した人物の遊技媒体数Ｍ１（＝Ｍ＋ｍ）を求める（Ｓ３０６）。
次に、ステップＳ３０６により求められた遊技媒体数Ｍ１をその人物の離席時（遊技後）の保有遊技媒体数として、その保有遊技媒体数情報と、離席した人物の人物番号を含む人物情報と、離席した遊技台番号を含む遊技台情報と、を相互に関連づけて遊技履歴記憶手段１１に記憶させる（Ｓ３０８）。
【００３９】
図３は、一例として遊技履歴情報の内容を抜粋して遊技台番号（台番号）順に配列した表である。表中で「顔番号」は前記人物番号に相当し、「遊技開始時刻」及び「遊技終了時刻」は前記遊技開始情報記録処理及び遊技終了情報記録処理により各遊技履歴情報が作成された時刻であり、「持玉数」はその時の前記保有遊技媒体数に相当する。この表において、顔番号０００１の遊技客は、
（イ）１番台に９：００に着席し（持玉０）、９：３０に離席した（持玉１０００）。
（ロ）１番台に９：３５に着席し（持玉１０００）、１０：００に離席した（持玉１５００）。
（ホ）２番台に１８：０５に着席し（持玉１５００）、２０：００に離席した（持玉５０００）。
また、顔番号０００５の遊技客は、
（ニ）２番台に９：００に着席し（持玉０）、９：３０に離席した（持玉２０００）。
（ハ）１番台に１０：０５に着席し（持玉２０００）、１０：００に離席した（持玉０）。
以上のように、遊技場セキュリティシステム１によって、人物ごとに、新たに遊技台に着席して遊技を開始するときには、直前に遊技を終了し離席したときの持玉数、又はその離席後に計数機により計数した後の持玉数が引き継がれる。また、このような顔画像を含む遊技履歴情報を表示装置４に表示することにより、係員による照合や確認を容易にすることができる。
【００４０】
（計数情報記録処理）
図１７に、前記計数情報記録処理の例（Ｓ４０）を示す。計数情報記録処理は、撮影手段３１により計数機に対面する人物（計数者）の顔が撮影されたとき、人物判断処理Ｓ１０により、計数者と同一人物が人物情報記憶手段２１に既に記憶されていた人物情報中に存在するかを判断する（Ｓ４０２、Ｓ４０４）。そして、同一人物が存在しなかった場合には、計数しようとする人物が遊技をした人物ではない（非遊技者）と判断する（Ｓ４０６）。これによって、実際に計数がされる前に報知手段によって係員に報知することが可能となる。
一方、ステップＳ４０４により計数者と同一人物が人物情報記憶手段２１に既に記憶されていた人物情報中に存在した場合には、ステップＳ４０２により人物情報記憶手段２１に記憶されたその同一人物の人物番号を取得し、その人物情報に関連づけて遊技履歴記憶手段１１に既に記憶されていた直近の保有遊技媒体数情報の値を取得し、これを保有遊技媒体数Ｍとする（Ｓ４０８）。前記直近の保有遊技媒体数情報の値は、その人物が最後に遊技台を離席したときの保有遊技媒体数、又は離席した後に計数機により計数した場合にはその計数後の保有遊技媒体数となる。次に、その計数機で計数された遊技媒体数ｍを取得する（Ｓ４１０）。そして、この計数後の計数者の保有遊技媒体数Ｍ１（＝Ｍ−ｍ）を求める（Ｓ４１２）。
そして、ステップＳ４１２により求められた保有遊技媒体数Ｍ１をこの計数後の保有遊技媒体数として、その保有遊技媒体数情報と、計数者の人物番号を含む人物情報と、計数機番号を含む計数機情報と、を相互に関連づけて遊技履歴記憶手段１１に記憶させる（Ｓ４１４）。
【００４１】
（報知処理）
図１８に、報知処理の例（Ｓ５０）を示す。報知処理は、人物判断手段２２による判断の結果又は遊技履歴記憶手段１１に記憶された遊技履歴情報を所定の不正条件に基づいて検査し（Ｓ５０１）、不正条件に一致するかを判断する（Ｓ５０２）。
不正条件に一致したと判断された場合（Ｓ５０Ｙ）には、その不正条件により、当該人物の顔画像を含む遊技履歴情報を表示装置４に表示することができる（Ｓ５０３）。また、外部にアラーム信号を送信することができる（Ｓ５０４）。
不正条件に一致しないと判断された場合（Ｓ５０Ｎ）には、表示装置４への表示やアラーム信号の送信（まとめてアラームという。）を行わないで終了する。
なお、不正条件の判断結果に関わらず、例えば、係員の操作によって指示された遊技台について、着席した人物情報や遊技履歴等を表示装置４に表示することが可能であることは言うまでもない。
【００４２】
図１９に、前記計数情報記録処理Ｓ４０の実行後に行う報知処理の例（Ｓ５１０）を示す。計数情報記録処理後には、計数しようとする人物が非遊技者であることや、計数機で計数された遊技媒体数が計数者の直近の保有遊技媒体数よりも多過ぎること等を不正条件とすることができる。
まず、計数情報記録処理Ｓ４０により計数機に対面する人物が非遊技者と判断された場合には（Ｓ５１１）、不正条件に一致したと判断して前記ステップＳ５０Ｙに移行する。一方、ステップＳ５１１で計数者が遊技者と判断された場合には、計数情報記録処理Ｓ４０により遊技履歴記憶手段１１に記憶された計数後の保有媒体数情報の値Ｍを取得する（Ｓ５１２）。そして、Ｍの値が所定範囲内であるか判断し（Ｓ５１３）、所定範囲内でなければ不正条件に一致したと判断して前記ステップＳ５０Ｙに移行する。前記所定範囲は、許容される誤差等により予め定めることができる（例えば、−１００〜＋１００）。
【００４３】
（景品カウンターの対面者の報知処理）
図２０に、景品カウンターにおいて対面者が検出されたときの報知処理の例（Ｓ５２０）を示す。前記報知処理Ｓ５０は、この報知処理Ｓ５２０を備えるように構成することができる。まず、撮影手段３１により景品カウンター９２に対面する人物の顔が撮影されたとき、人物判断処理１０により、対面する人物と同一人物が人物情報記憶手段２１に既に記憶されていた人物情報中に存在するか否かを判断する（Ｓ５２２、Ｓ５２３）。同一人物が存在しなかった場合には、対面する人物が遊技をした人物ではない（非遊技者）と判断し、その旨の情報を表示装置４１に表示することができる（Ｓ５２４）。
一方、ステップＳ５２３により、人物情報記憶手段２１に既に記憶されていた人物情報中に同一人物が存在した場合には、人物判断処理１０により人物情報記憶手段２１に記憶されたその同一人物の人物番号を取得し、その人物番号に関連づけて遊技履歴記憶手段１１に既に記憶されていた遊技履歴情報を顔画像とともに表示装置４１に表示することができる（Ｓ５２５）。
【００４４】
（遊技台間移動のアラーム）
本遊技場セキュリティシステム１は、遊技者が所定範囲内にない数の遊技媒体を持って異なる遊技台に移動したことを不正条件として検出し、アラームを発することができる。この処理例（Ｓ５３０）を図２１に示す。
前記遊技開始情報記録処理Ｓ２０により、前記人物情報記憶手段２１に既に記憶されていた人物情報中に着席した人物と同一人物が存在した場合には、その人物（Ｐ１）と、着席した遊技台（Ｙ１）と、着席時の保有遊技媒体数（Ｍ）とが記憶される（Ｓ５３１）。ここで、保有遊技媒体数Ｍは、人物Ｐ１が遊技台Ｙ１に着席する前、直近に遊技台を離席した場合にはそのときの保有遊技媒体数、又は直近に計数機により計数した場合にはその計数後の保有遊技媒体数である。
前記遊技開始情報記録手段１２は、更に、人物Ｐ１と関連づけて前記遊技履歴記憶手段１１に既に記憶されていた直近の遊技台情報（遊技台Ｙ０）を取得する（Ｓ５３２）。
以上によって、新たに遊技台Ｙ１に着席した人物Ｐ１は、着席前に遊技台Ｙ０を離席しており、その離席後又は計数後に保有遊技媒体数Ｍを持って遊技台Ｙ１に来たことが分かる。
そこで、着席した遊技台Ｙ１とその前に離席した遊技台Ｙ０が異なる遊技台であり（Ｓ５３３）、かつ人物Ｐ１の保有遊技媒体数Ｍが所定範囲内にない場合（Ｓ５３４）には、不正条件に一致したと判断して前記ステップＳ５０Ｙに移行する。これによってアラームが発せられることとなる。前記所定範囲は、許容される誤差等により予め定めることができる（例えば、−１００〜＋１００）。
【００４５】
（コーナー間移動のアラーム）
遊技場内の遊技台５及び計数機６が、使用する遊技媒体の区別（例えば、遊技媒体の単価）に対応した複数の群（コーナー）に区分けされている場合がある。本遊技場セキュリティシステム１は、この場合に、遊技者が所定範囲内にない数の遊技媒体を持って異なる群に属する遊技台に移動したことを不正条件として検出し、アラームを発することができる。この処理例（Ｓ５４０）を図２２に示す。
前記遊技開始情報記録処理Ｓ２０により、前記人物情報記憶手段２１に既に記憶されていた人物情報中に着席した人物と同一人物が存在した場合には、その人物（Ｐ１）と、着席した遊技台（Ｙ１）と、直近の保有遊技媒体数（Ｍ）とが把握される（Ｓ５４１）。ここで、保有遊技媒体数Ｍは、人物Ｐ１が遊技台Ｙ１に着席する前、直近に遊技台を離席した場合にはそのときの保有遊技媒体数、又は直近に計数機により計数した場合にはその計数後の保有遊技媒体数である。
前記遊技開始情報記録手段１２は、更に、人物Ｐ１と関連づけて前記遊技履歴記憶手段１１に既に記憶されていた直近の遊技台情報（遊技台Ｙ０）又は計数機情報（計数機Ｋ０）を取得する（Ｓ５４２）。ここで、前記遊技台情報又は計数機情報は、より直近の情報、すなわち遊技台Ｙ１に着席する直前の情報を採用する。
以上によって、遊技台Ｙ１に着席した人物Ｐ１は、遊技台Ｙ０を離席した後に、又は計数機Ｋ０で計数した後に、保有遊技媒体数Ｍを持って遊技台Ｙ１に来たことが分かる。
そこで、着席した遊技台Ｙ１と、直近の遊技台Ｙ０又は計数機Ｋ０とが異なる群に属し（Ｓ５４３）、かつ人物Ｐ１の保有遊技媒体数Ｍが所定範囲内にない場合（Ｓ５４４）には、不正条件に一致したと判断して前記ステップＳ５０Ｙに移行する。これによってアラームが発せられることとなる。
【００４６】
また、遊技台５及び計数機６が使用する遊技媒体の区別に対応した複数の群（コーナー）に区分けされている場合に、遊技者が直近に遊技をした遊技台又は直前に計数をした計数機が属する群とは異なる群に属する計数機によって計数することを不正条件として検出し、アラームを発することができる。
前記計数情報記録処理Ｓ４０により、前記人物情報記憶手段２１に既に記憶されていた人物情報中に、計数機に対面する人物と同一人物が存在した場合には、その人物（Ｐ１）と、計数機（Ｋ１）と、直近の保有遊技媒体数（Ｍ）とが把握される。ここで、保有遊技媒体数Ｍは、人物Ｐ１が遊技台Ｙ１に着席する前、直近に遊技台を離席した場合にはそのときの保有遊技媒体数、又は直近に計数機により計数した場合にはその計数後の保有遊技媒体数である。
前記遊技開始情報記録手段１２は、更に、人物Ｐ１と関連づけて前記遊技履歴記憶手段１１に既に記憶されていた直近の遊技台情報（遊技台Ｙ０）又は計数機情報（計数機Ｋ０）を取得する。ここで、前記遊技台情報又は計数機情報は、より直近の情報、すなわち遊技台Ｙ１に着席する直前の情報を採用する。
以上によって、人物Ｐ１は、遊技台Ｙ０を離席した後に、又は計数機Ｋ０で計数した後に、保有遊技媒体数Ｍを持って計数機Ｋ１に来たことが分かる。
そこで、計数機Ｋ１と、直近の遊技台Ｙ０又は計数機Ｋ０とが異なる群に属し、かつ人物Ｐ１の保有遊技媒体数Ｍが所定範囲内にない場合には、不正条件に一致したと判断して前記ステップＳ５０Ｙに移行する。これによってアラームが発せられることとなる。
【００４７】
図４は、遊技客の群（コーナー）移動の態様と本遊技場セキュリティシステムによる報知例を説明するための模式図である。図中の「Ａコーナー」と「Ｂコーナー」とは、例えば遊技媒体の単価が異なる。
遊技客Ｐ１に着目すると、Ｐ１はＢコーナーの遊技台５ｂ１を離席し（持玉１０００）、Ａコーナーの遊技台５ａ１に着席した。このとき、前記コーナー間移動のアラーム処理Ｓ５４０の結果、事務所に置かれた表示装置４ｃにＰ１の顔画像と遊技履歴が表示されるため、係員Ｓ３は不正な移動と知ることができる。
また、遊技者が単にコーナーの異なる遊技台間を移動したことを前記不正条件に設定しておくこともできる。この場合、遊技者Ｐ２が、Ｂコーナーの遊技台５ｂ２を離席してＡコーナーの遊技台５ａ２に着席したとき、事務所に置かれた表示装置４ｄには、Ｐ２の顔画像とその遊技履歴情報が表示される。そうすると、係員Ｓ４は、Ｐ２は持玉が０の状態で移動したので問題がないと判断することができる。
また、遊技客Ｐ４に着目すると、Ｐ４はＢコーナーの遊技台５ｂ３を離席してＢコーナーの計数機６ｂで計数した後、計数機６ｂにより発券されたチケットを景品カウンター９２に持参する。Ｐ４が景品カウンターに対面すると、対面者Ｐ４に関連づけられた遊技履歴情報が表示装置４ａに表示される。そうすると、係員Ｓ１は対面するＰ４の顔と表示された計数者の顔画像を照合し、かつ表示されたＰ４の持玉数とチケット上の計数データを照合して適正な計数であったと判断することができる。
【００４８】
（持込遊技媒体のアラーム）
本遊技場セキュリティシステム１は、前記機器情報を適宜に取得することができる。例えば、所定のタイミングに、遊技台が持つ遊技媒体数、遊技台の稼動情報を含む機器情報を取得する。前記所定のタイミングは、一定の周期（例えば、１秒〜３分の間隔）とすることができる。これにより、遊技者が着席した遊技台の遊技状態について、継続的に監視することが可能となる。
【００４９】
遊技客が店外から持込んだ遊技媒体を使用して遊技をする場合がある。本遊技場セキュリティシステム１は、遊技客が着席した遊技台の稼動情報を取得することにより、遊技媒体が持ち込まれたことを即刻に検出して、係員に遊技客の顔画像とともに報知することができる。
図２３は、遊技客が着席している任意の１台の遊技台についての処理例（Ｓ５５０）を示す。この処理を前記報知処理Ｓ５０に加えることによって、遊技媒体の持込みを検出することができる。先ず、遊技客が着席中の遊技台Ｙｎを得る（Ｓ５５１）。遊技客が着席したときには前記遊技開始情報記録処理Ｓ２０により遊技履歴情報が記憶され、その遊技客が離席したときには前記遊技終了情報記録処理Ｓ３０により遊技履歴情報が記憶される。したがって、遊技客が着席中の遊技台は遊技履歴情報によって見出すことができるが、別途の方法によって管理されていてもよい。次に、遊技台Ｙｎに着席している人物Ｐｎに関連づけられた着席時の保有媒体数情報の値Ｍを取得する（Ｓ５５２）。
また、遊技開始情報記録処理により遊技台Ｙｎについて遊技履歴情報が記憶された後、前記のとおり、遊技台の機器情報を周期的に監視することができ、遊技台Ｙｎが持つ遊技媒体数、遊技台Ｙｎの稼動情報を取得することができる。これにより、人物Ｐｎの着席時の保有媒体数値Ｍを基に、着席後の遊技台Ｙｎの持つ遊技媒体数の変動値を集計して（ｍ）、人物Ｐｎが現在保有する遊技媒体数（遊技中保有遊技媒体数）Ｍ１を得ることができる（Ｓ５５３）。前記ｍは、負の値となる場合もある。
そこで、遊技中保有遊技媒体数Ｍ１が所定値よりも小さくなっている状態で、遊技台Ｙｎからの遊技媒体の払い出し又は玉貸機や再プレイ機からの遊技媒体の貸し出しがされることなく、遊技台Ｙｎの稼動が開始されたことを不正条件に定めておく（Ｓ５５４〜Ｓ５５６）。この不正条件に一致した場合（Ｓ５０Ｙ）には、着席中の遊技者Ｐｎによって遊技媒体が持ち込まれた可能性があるため、アラームを発することができる。
【００５０】
（着席かつ非稼動状態のアラーム）
本遊技場セキュリティシステム１は、遊技客が着席していても遊技がされていない遊技台を自動的に検出して、係員に遊技客の顔画像とともに報知することができる。
図２４は、遊技客が着席している任意の１台の遊技台についての処理例（Ｓ５６０）を示す。この処理を前記報知処理Ｓ５０に加えることによって、着席かつ非稼動の状態を検出することができる。先ず、前記と同様の方法により、着席中の遊技台Ｙｎを得る（Ｓ５６１）。また、遊技台Ｙｎに遊技客が着席した後、遊技台Ｙｎの機器情報を周期的に監視することができ、遊技台Ｙｎの稼動情報が取得される（Ｓ５６２）。
したがって、遊技台Ｙｎの稼動がされないで所定時間が経過したことを不正条件としておくことによって、遊技台Ｙｎが着席かつ非稼動の状態であることを検出し（Ｓ５６３、Ｓ５６４、Ｓ５０Ｙ）、係員に報知することができる。
【００５１】
（近接台の着席かつ非稼動のアラーム）
１台の遊技台の周辺の遊技台に仲間の人物が着席し、不正な遊技が行われる場合がある。本遊技場セキュリティシステム１は、遊技媒体が多数払い出されている遊技台Ｙｘの近傍に配設された近接遊技台が着席され且つ非稼動である状態を検出することにより、不正な遊技がされている可能性のある遊技台とそれに関係する人物を自動的に検出して、係員に報知することができる。前記遊技台Ｙｘに近接する遊技台として、遊技台Ｙｘの片側又は両側に隣接する遊技台としてもよいし、さらに遊技台Ｙｘと連続していない遊技台や、遊技台Ｙｘの遊技客の背面付近に設置されている遊技台を含んでもよい。前記のとおり、ある遊技台に着席がされているか否かの情報は、遊技履歴情報から取得することもできるし、別途の方法によって取得してもよい。また、ある遊技台について遊技台の稼動情報を含む機器情報を周期的に取得することができるため、その遊技台が稼動していない非稼動時間を計測することができる。
【００５２】
図２５は、上記検出の処理例（Ｓ５７０）を示す。この処理を前記報知処理Ｓ５０に加えることによって、前記近接台の着席かつ非稼動のアラームを発することができる。先ず、遊技台Ｙｘからの払出し遊技媒体数等、及び近接遊技台について遊技台の稼動情報を含む機器情報が取得される（Ｓ５７１）。これにより、遊技台Ｙｘから払い出された遊技媒体数が所定値を超えたか判断することができる（Ｓ５７２）。したがって、ある遊技台から払い出された遊技媒体数が所定値を超えた場合に、その遊技台に近接する遊技台が着席かつ所定時間を超えて非稼動の状態であったことを不正条件としておくことができる。ステップＳ５７２によって遊技台Ｙｘから払い出された遊技媒体数が所定値を超えた場合に、遊技台Ｙｘに近接する遊技台が着席、かつ所定時間を超えて非稼動の状態であったか否かを判断する（Ｓ５７３，Ｓ５７４）。これにより、不正な遊技がされている可能性のある遊技台Ｙｘを自動的に検出し、遊技台Ｙｘ及びそれに隣接する遊技台について、着席者の顔画像を含む遊技履歴情報を表示装置に表示してアラームを発することができる。
【００５３】
（１８歳未満の人物のアラーム）
本遊技場セキュリティシステム１は、前記撮影手段３１によって撮影された人物が１８歳未満と判断される場合には、報知手段１５によってアラームを発することができる。
前記のとおり、人物判断手段２２は、撮影された人物の顔の特徴からその人物の年齢を判断するように構成することが可能である。この場合、前記人物情報は人物の年齢を含むようにすることができる。前記人物判断手段２２は、撮影手段３１により撮影された画像に基づいて人物の年齢を含む人物情報を生成して、その年齢が１８歳未満であるかを更に判断し、前記報知手段１５は、人物判断手段２２により年齢が１８歳未満であると判断されたことを前記不正条件に含むことができる。
【００５４】
（不審人物のアラーム）
本遊技場セキュリティシステム１は、予め不審人物を登録しておくことにより、前記撮影手段３１によって撮影された人物が不審人物と判断された場合には、前記報知手段１５によってアラームを発することができる。
このため、前記人物情報記憶手段２１は、更に、予め定められた不審人物を登録した不審人物情報２１１を前記人物情報２１０と相互に関連づけて記憶し、前記人物判断手段２２は、撮影手段３１により撮影された画像に基づいて生成した人物情報と人物記憶手段２１に既に記憶されていた人物情報とを比較して同一人物があった場合には、その同一人物が人物記憶手段２１に既に記憶されていた不審人物情報２１１に登録されている人物か否かを更に判断することができる（図１４のステップＳ１２０、Ｓ１２２）。
また、報知手段１５は、人物判断手段２２により、人物情報記憶手段２１に既に記憶されていた不審人物情報２１１に登録されていたと判断されたことを不正条件に含む。これにより、登録された不審人物と同一人物が撮影手段３１によって撮影された場合には、アラームを発することができる。
【００５５】
さらに、本遊技場セキュリティシステム１は、不審人物を前記不審人物情報２１１に登録する不審人物登録手段１６を更に備え、不審人物登録手段１６は、前記報知手段１５により所定の不正条件に一致したと判断された場合には、その人物の顔画像を含む人物情報を記憶する。そして、不正条件に一致するごとに当該人物の不正回数を数え、例えば、同一人物について累計した不正回数が所定回数以上となったときは、その人物を不審人物として、この不審人物情報と、その人物の人物情報とを相互に関連づけて人物情報記憶手段２１に記憶させることができる。
【００５６】
（会員情報と人物情報との関連付け）
本遊技場セキュリティシステム１は、図２６に示す会員認証手段１８及び会員番号記録手段１９を更に備えることによって、会員情報と人物情報とを関連付けることができる。このため、前記人物情報記憶手段２１は、更に会員情報を記憶する。
会員認証手段１８は、前記遊技台５ごとに対応して会員個人ごとの識別情報を取得する識別情報取得装置１８１を備える。会員ごとの識別情報は、例えば、磁気方式、光学方式等で読取り可能な会員カード等に記録されてもよいし、指紋等の生体情報であってもよい。識別情報取得装置１８１は、前記識別情報の取得装置とすることができる。会員認証手段１８は、識別情報取得装置１８１によって取得された識別情報を認証したときは、その人物の会員番号、及びその識別情報を取得した識別情報取得装置１８１に対応する遊技台番号を出力する。
会員番号記録手段１９は、会員番号を含む会員情報を更に関連づけて前記人物情報記憶手段２１に記憶させる。会員番号記録手段１９は、会員認証手段１８により出力された会員番号及び遊技台番号を取得するとともに、前記撮影手段３１により撮影されたその遊技台番号に対応する遊技台５に着席した人物の画像に基づき前記人物判断手段２２により生成された人物情報を取得する。そして、その人物情報と、会員情報として会員番号と、を相互に関連づけて人物情報記憶手段２１に記憶させることができる。これにより、会員情報と遊技履歴情報を結び付けることも可能になる。
【００５７】
なお、本発明においては、以上に記載した実施例に限られず、目的、用途に応じて本発明の範囲内で種々変更した実施例とすることができる。
【符号の説明】
【００５８】
１；遊技場セキュリティシステム、１０；データ統合用サーバ、１００；遊技履歴管理手段、１１；遊技履歴記憶手段、１２；遊技開始情報記録手段、１３；遊技終了情報記録手段、１４；計数情報記録手段、１５；報知手段、１６；不審人物登録手段、１８；会員認証手段、１９；会員番号記録手段、２０；顔認証用サーバ、２００；顔認証手段、２１；人物情報記憶手段、２２；人物判断手段、３；カメラ、３０；顔認証用ユニット、３１；撮影手段、４、４ａ〜４ｄ；表示装置、５、５１、５２；遊技台、５３、５３１；台間機、５４、５４１；台ランプ、６、６１；計数機、６２；持玉照合機、７；カウンター機器、８０；ホールコンピュータ（ＨＣ）、８８；会員システム、９１；事務所、９２；景品カウンター、９３；（遊技台等から構成される）島。
【図１】
2011005054.tif 000003
【図２】
2011005054.tif 000004
【図３】
2011005054.tif 000005
【図４】
2011005054.tif 000006
【図５】
2011005054.tif 000007
【図６】
2011005054.tif 000008
【図７】
2011005054.tif 000009
【図８】
2011005054.tif 000010
【図９】
2011005054.tif 000011
【図１０】
2011005054.tif 000012
【図１１】
2011005054.tif 000013
【図１２】
2011005054.tif 000014
【図１３】
2011005054.tif 000015
【図１４】
2011005054.tif 000016
【図１５】
2011005054.tif 000017
【図１６】
2011005054.tif 000018
【図１７】
2011005054.tif 000019
【図１８】
2011005054.tif 000020
【図１９】
2011005054.tif 000021
【図２０】
2011005054.tif 000022
【図２１】
2011005054.tif 000023
【図２２】
2011005054.tif 000024
【図２３】
2011005054.tif 000025
【図２４】
2011005054.tif 000026
【図２５】
2011005054.tif 000027
【図２６】
2011005054.tif 000028